(57)【要約】【課題】一度の原稿の読み取りで取得した画像データを複数の外部記憶媒体に記憶させることができる画像処理装置を提供する。【解決手段】ＭＦＰ１にＵＳＢメモリ５及びＳＤメモリカード６等の外部記憶媒体を装着する装着ポート２２ａ及び２３ａを複数設け、原稿読取部１５にて原稿を読み取って取得した画像データを、装着ポート２２ａ及び２３ａに装着された外部記憶媒体の一部又は全部に同時的に記憶させる。このとき、装着された外部記憶媒体を空き容量又はアクセス速度の順に操作パネル１９の表示部へ表示し、画像データを記憶させる外部記憶媒体の選択を受け付ける。または、画像データを記憶する外部記憶媒体の数を受け付けて、受け付けた数に応じて外部記憶媒体を自動的に選択する。【選択図】図２
2008028556.tif 000002
【特許請求の範囲】
【請求項１】
外部記憶媒体の着脱が可能な装着部と、原稿を読み取って画像データを取得する原稿読取手段と、該原稿読取手段が取得した画像データを前記装着部に装着された外部記憶媒体に記憶させる記憶制御手段とを備える画像処理装置において、
前記装着部は複数の外部記憶媒体を装着できるようにしてあり、
前記記憶制御手段は、前記原稿読取手段が読み取った一の原稿に係る画像データを、前記装着部に装着された複数の外部記憶媒体のうちの一部又は全部の外部記憶媒体にそれぞれ記憶させるようにしてあること
を特徴とする画像処理装置。
【請求項２】
前記装着部に装着された外部記憶媒体から、複数の外部記憶媒体の選択を受け付けることが可能な受付手段を備え、
前記記憶制御手段は、前記原稿読取手段が読み取った一の原稿に係る画像データを、前記受付手段が受け付けた選択に係る外部記憶媒体にそれぞれ記憶させるようにしてある請求項１に記載の画像処理装置。
【請求項３】
前記装着部に装着された外部記憶媒体を選択肢として表示する表示手段を備え、
前記受付手段は、前記表示手段が表示した選択肢から、複数の外部記憶媒体の選択を受け付けるようにしてある請求項２に記載の画像処理装置。
【請求項４】
前記装着部に装着された外部記憶媒体の空き容量を取得する取得手段を備え、
前記表示手段は、前記取得手段の取得結果に応じて、外部記憶媒体を順序付けて選択肢として表示するようにしてある請求項３に記載の画像処理装置。
【請求項５】
前記装着部に装着された外部記憶媒体のアクセス速度を取得する取得手段を備え、
前記表示手段は、前記取得手段の取得結果に応じて、外部記憶媒体を順序付けて選択肢として表示するようにしてある請求項３に記載の画像処理装置。
【請求項６】
前記装着部への外部記憶媒体の装着を検出する検出手段を備え、
前記取得手段は、前記検出手段が装着を検出した場合に、装着を検出した外部記憶媒体について取得を行うようにしてある請求項４又は請求項５に記載の画像処理装置。
【請求項７】
前記原稿読取手段が読み取った一の原稿に係る画像データの記憶数を受け付ける受付手段と、
前記装着部に装着された外部記憶媒体から、前記受付手段が受け付けた記憶数の外部記憶媒体を選択する選択手段と
を備え、
前記記憶制御手段は、前記原稿読取手段が読み取った一の原稿に係る画像データを、前記選択手段が選択した外部記憶媒体にそれぞれ記憶させるようにしてある請求項１に記載の画像処理装置。
【請求項８】
前記装着部に装着された外部記憶媒体の空き容量を取得する取得手段を備え、
前記選択手段は、前記取得手段の取得結果に応じて選択を行うようにしてある請求項７に記載の画像処理装置。
【請求項９】
前記装着部に装着された外部記憶媒体のアクセス速度を取得する取得手段を備え、
前記選択手段は、前記取得手段の取得結果に応じて選択を行うようにしてある請求項７に記載の画像処理装置。
【請求項１０】
外部記憶媒体の着脱が可能な装着部と、原稿を読み取って画像データを取得する原稿読取手段と、該原稿読取手段が取得した画像データを前記装着部に装着された外部記憶媒体に記憶させる記憶制御手段とを備える画像処理装置において、
前記記憶制御手段は、前記原稿読取手段が読み取った一の原稿に係る画像データを、前記装着部に順次的に装着された複数の外部記憶媒体にそれぞれ記憶させるようにしてあること
を特徴とする画像処理装置。
【請求項１１】
前記原稿読取手段が読み取った一の原稿に係る画像データの記憶数を受け付ける受付手段と、
前記記憶制御手段による外部記憶媒体への画像データの記憶が終了した場合に、外部記憶媒体の交換を促すメッセージを出力する出力手段と、
前記装着部への外部記憶媒体の装着を検出する検出手段と
を備え、
前記受付手段が受け付けた記憶数に応じて、前記検出手段による検出と、前記記憶制御手段による画像データの記憶と、前記出力手段によるメッセージの出力とを繰り返して行うようにしてある請求項１０に記載の画像処理装置。
【発明の詳細な説明】
【技術分野】
【０００１】
本発明は、外部記憶媒体を装着することができ、原稿を読み取って取得した画像データを外部記憶媒体に記憶させることができる画像処理装置に関する。
【背景技術】
【０００２】
画像処理装置として、原稿を読み取って画像データを取得するスキャナ機能、読み取った原稿に係る画像データを記録用紙へ記録する複写機能、ファクシミリ通信により他の装置との間で画像データの送受信を行うファクシミリ機能、及びＬＡＮ（Ｌｏｃａｌ  Ａｒｅａ  Ｎｅｔｗｏｒｋ）などのネットワークを介して外部の装置から取得した画像データを記録用紙に記録するプリンタ機能等の複数の機能を搭載したデジタル複合機（以下、ＭＦＰ：Ｍｕｌｔｉ  Ｆｕｎｃｔｉｏｎ  Ｐｅｒｉｐｈｅｒａｌという）が普及している。ＭＦＰのスキャナ機能を用いることによって、ユーザは記録用紙に記録された原稿又は手書きの原稿等を簡単にデジタルの画像データとして取得することができ、取得した画像データをＰＣ（パーソナルコンピュータ）などを用いて簡単に編集又は加工することができる。
【０００３】
一方、フラッシュメモリの大容量化及び低価格化、並びにハードディスクの小型化等に伴って、可搬型で大容量の外部記憶媒体が普及している。外部記憶媒体の一つであるＵＳＢ（Ｕｎｉｖｅｒｓａｌ  Ｓｅｒｉａｌ  Ｂｕｓ）メモリは、フラッシュメモリ及びＵＳＢインタフェースを備えるものであり、ＵＳＢの接続ポートを備える機器であれば利用することが可能であるため、利便性が高く注目されている。
【０００４】
近年、ＭＦＰにおいてもＵＳＢの接続ポートが設けられ、スキャナ機能により読み取った原稿に係る画像データ、及びファクシミリ機能により受信した画像データ等を、ＵＳＢメモリに記憶する機能を有するものがある。これにより、ＭＦＰとＰＣとが同じネットワークに接続されていない場合であっても、画像データをＵＳＢメモリに記憶させてＰＣにて読み込み、簡単に画像データの編集又は加工等を行うことができる。
【０００５】
特許文献１においては、装置内のメモリ内に設けられた複数のメモリボックスに画像データを蓄積する場合に、予め指定された複数のメモリボックスへ自動的に蓄積させる構成とすることにより、メモリボックスを多角的に利用することができる掲示板機能付通信端末装置が提案されている。
【特許文献１】特開平１１−１７８４８号公報
【発明の開示】
【発明が解決しようとする課題】
【０００６】
上述のようなＭＦＰは、オフィスなどに設置されて複数のユーザによって利用される場合が多い。複数のユーザがそれぞれ所有するＵＳＢメモリに、スキャナ機能により読み取った原稿の画像データを記憶させたい場合、従来のＭＦＰでは、一のＵＳＢメモリに記憶させた画像データをＰＣなどにて他のＵＳＢメモリへコピーする、又は一の原稿を複数回読み取ってそれぞれのＵＳＢメモリに記憶させる等の必要があった。これらの作業はユーザにとって非常に煩わしいものであり、改善策が望まれていた。
【０００７】
特許文献１に記載の掲示板機能付通信端末装置は、装置内に設けられたメモリ内の複数のメモリボックスに自動的に画像データを蓄積するものであり、上述の問題に対する改善策となるものではない。なぜなら、この掲示板機能付通信端末装置は、画像データの蓄積先などの情報を予め設定し、この設定に基づいて画像データを自動的に蓄積する構成であるが、ＵＳＢメモリなどの記憶媒体は装置に常時装着されている場合は少なく、画像データを記憶させる場合にのみ装置に装着される可能性が高いためである。
【０００８】
本発明は、斯かる事情に鑑みてなされたものであって、その目的とするところは、ＵＳＢメモリなどの外部記憶媒体を複数装着可能とし、一の原稿を読み取って取得した画像データを、装着された複数の外部記憶媒体のうちの一部又は全部の外部記憶媒体へ記憶させる構成とすることにより、一度の原稿読み取りによって得られた画像データを複数の外部記憶媒体へ同時的に記憶させることができる画像処理装置を提供することにある。
【０００９】
また本発明の他の目的とするところは、装着された複数の外部記憶媒体からユーザにいくつかの外部記憶媒体を選択させ、ユーザの選択に応じた外部記憶媒体に画像データを記憶させる構成とすることにより、複数の外部記憶媒体が装着されている場合であっても、ユーザが望むいくつかの外部記憶媒体にのみ画像データを同時的に記憶させることができる画像処理装置を提供することにある。
【００１０】
また本発明の他の目的とするところは、装着された複数の外部記憶媒体をユーザが選択するための選択肢として表示し、ユーザから複数の外部記憶媒体の選択を受け付けて、複数の外部記憶媒体に画像データを記憶させる構成とすることにより、ユーザが表示された選択肢から外部記憶媒体を選択して簡単に画像データを記憶させることができる画像処理装置を提供することにある。
【００１１】
また本発明の他の目的とするところは、装着された外部記憶媒体の空き容量を取得し、空き容量に応じた順序で外部記憶媒体を選択肢として表示する構成とすることにより、画像データを記憶させる外部記憶媒体の選択をユーザが容易に行うことができる画像処理装置を提供することにある。
【００１２】
また本発明の他の目的とするところは、装着された外部記憶媒体のアクセス速度を取得し、アクセス速度に応じた順序で外部記憶媒体を選択肢として表示する構成とすることにより、画像データを記憶させる外部記憶媒体の選択をユーザが容易に行うことができる画像処理装置を提供することにある。
【００１３】
また本発明の他の目的とするところは、外部記憶媒体が装着されたことを検出した場合に、装着を検出した外部記憶媒体の空き容量又はアクセス速度等の取得を行う構成とすることにより、ユーザへの選択肢の表示に必要な情報を予め確実に取得することができる画像処理装置を提供することにある。
【００１４】
また本発明の他の目的とするところは、ユーザから画像データの記憶数を受け付け、装着された複数の外部記憶媒体から受け付けた記憶数の外部記憶媒体を選択して画像データを記憶させる構成とすることにより、画像データを自動的にユーザが望む数の外部記憶媒体へ記憶させることができる画像処理装置を提供することにある。
【００１５】
また本発明の他の目的とするところは、装着された外部記憶媒体の空き容量を取得して、空き容量に応じてユーザから受け付けた記憶数の外部記憶媒体を選択する構成とすることにより、それぞれの外部記憶媒体の使用状況に適した選択を行って画像データを記憶させることができる画像処理装置を提供することにある。
【００１６】
また本発明の他の目的とするところは、装着された外部記憶媒体のアクセス速度を取得して、アクセス速度に応じてユーザから受け付けた記憶数の外部記憶媒体を選択する構成とすることにより、それぞれの外部記憶媒体の特性に適した選択を行って画像データを記憶させることができる画像処理装置を提供することにある。
【００１７】
また本発明の他の目的とするところは、一の原稿を読み取って取得した画像データを、順次的に装着される複数の外部記憶媒体へ順次記憶させる構成とすることにより、外部記憶媒体を一つしか装着できない場合であっても、一度の原稿読み取りによって得られた画像データを複数の外部記憶媒体へ順次記憶させることができる画像処理装置を提供することにある。
【００１８】
また本発明の他の目的とするところは、ユーザから画像データの記憶数を受け付け、装着を検出した外部記憶媒体への画像データの記憶と、外部記憶媒体の交換を促すメッセージの出力とを、受け付けた記憶数に応じて繰り返し行う構成とすることにより、複数の外部記憶媒体へ順次的に画像データを記憶させる場合に、ユーザによる誤操作が発生しにくい画像処理装置を提供することにある。
【課題を解決するための手段】
【００１９】
第１発明に係る画像処理装置は、外部記憶媒体の着脱が可能な装着部と、原稿を読み取って画像データを取得する原稿読取手段と、該原稿読取手段が取得した画像データを前記装着部に装着された外部記憶媒体に記憶させる記憶制御手段とを備える画像処理装置において、前記装着部は複数の外部記憶媒体を装着できるようにしてあり、前記記憶制御手段は、前記原稿読取手段が読み取った一の原稿に係る画像データを、前記装着部に装着された複数の外部記憶媒体のうちの一部又は全部の外部記憶媒体にそれぞれ記憶させるようにしてあることを特徴とする。
【００２０】
本発明においては、画像処理装置に複数の外部記憶媒体を装着することを可能とし、装着された複数の外部記憶媒体のうちの一部又は全部の外部記憶媒体へ、一度の原稿読み取りによって得られた画像データを同時的に記憶させる。これにより、ユーザは複数の外部記憶媒体に画像データを記憶させたい場合に、原稿の読み取りを複数回行う必要がなく、又は、一の外部記憶媒体に記憶されたデータをＰＣなどを用いてコピーする必要がない。
【００２１】
また、第２発明に係る画像処理装置は、前記装着部に装着された外部記憶媒体から、複数の外部記憶媒体の選択を受け付けることが可能な受付手段を備え、前記記憶制御手段は、前記原稿読取手段が読み取った一の原稿に係る画像データを、前記受付手段が受け付けた選択に係る外部記憶媒体にそれぞれ記憶させるようにしてあることを特徴とする。
【００２２】
本発明においては、装着された複数の外部記憶媒体からユーザにいくつかの外部記憶媒体を選択させ、受け付けた選択に係る外部記憶媒体へ画像データを記憶させる。画像処理装置に複数の外部記憶媒体が装着されている場合であっても、ユーザはこの中からいくつかを選択し、選択した外部記憶媒体にのみ画像データを記憶させることが可能となる。
【００２３】
また、第３発明に係る画像処理装置は、前記装着部に装着された外部記憶媒体を選択肢として表示する表示手段を備え、前記受付手段は、前記表示手段が表示した選択肢から、複数の外部記憶媒体の選択を受け付けるようにしてあることを特徴とする。
【００２４】
本発明においては、例えば、装着された複数の外部記憶媒体の名称又は番号等を選択肢として一覧表示し、ユーザが一覧表示された名称又は番号等から外部記憶媒体を複数選択することを可能とする。これにより、ユーザは複数の外部記憶媒体から画像データを記憶させる外部記憶媒体を簡単に選択することができる。
【００２５】
また、第４発明に係る画像処理装置は、前記装着部に装着された外部記憶媒体の空き容量を取得する取得手段を備え、前記表示手段は、前記取得手段の取得結果に応じて、外部記憶媒体を順序付けて選択肢として表示するようにしてあることを特徴とする。
【００２６】
本発明においては、装着された外部記憶媒体の空き容量を調べ、例えば外部記憶媒体の名称又は番号等を選択肢として一覧表示する場合に、空き容量の大きい順又は小さい順に表示を行う。これにより、ユーザは容量の大きい画像データを記憶させる場合に、確実に画像データを記憶することができる外部記憶媒体を簡単に選択することができる。
【００２７】
また、第５発明に係る画像処理装置は、前記装着部に装着された外部記憶媒体のアクセス速度を取得する取得手段を備え、前記表示手段は、前記取得手段の取得結果に応じて、外部記憶媒体を順序付けて選択肢として表示するようにしてあることを特徴とする。
【００２８】
本発明においては、装着された外部記憶媒体のアクセス速度を調べ、例えば外部記憶媒体の名称又は番号等を選択肢として一覧表示する場合に、アクセス速度の速い順又は遅い順に表示を行う。これにより、ユーザは容量の大きい画像データを記憶させる場合に、画像データの記憶をより早く完了することができる外部記憶媒体を簡単に選択することができる。
【００２９】
また、第６発明に係る画像処理装置は、前記装着部への外部記憶媒体の装着を検出する検出手段を備え、前記取得手段は、前記検出手段が装着を検出した場合に、装着を検出した外部記憶媒体について取得を行うようにしてあることを特徴とする。
【００３０】
本発明においては、画像処理装置への外部記憶媒体の装着を検出し、外部記憶媒体が装着されたことを検出した場合に、外部記憶媒体の空き容量又はアクセス速度等を調べる。これらの情報を外部記憶媒体の装着時に予め調べておくことにより、例えば外部記憶媒体の名称又は番号等を選択肢として一覧表示するときに、空き容量又はアクセス速度等を調べる必要がなく、より高速に表示を行うことが可能となる。
【００３１】
また、第７発明に係る画像処理装置は、前記原稿読取手段が読み取った一の原稿に係る画像データの記憶数を受け付ける受付手段と、前記装着部に装着された外部記憶媒体から、前記受付手段が受け付けた記憶数の外部記憶媒体を選択する選択手段とを備え、前記記憶制御手段は、前記原稿読取手段が読み取った一の原稿に係る画像データを、前記選択手段が選択した外部記憶媒体にそれぞれ記憶させるようにしてあることを特徴とする。
【００３２】
本発明においては、読み取った原稿の画像データをいくつの外部記憶媒体に記憶させるかを記憶数として受け付け、受け付けた記憶数の外部記憶媒体を自動的に選択し、選択した外部記憶媒体に画像データを記憶させる。外部記憶媒体を特に指定する必要がなく、装着された複数の外部記憶媒体のいずれかに画像データを記録すればよい場合に、ユーザによる外部記憶媒体の選択の手間を省略することができる。
【００３３】
また、第８発明に係る画像処理装置は、前記装着部に装着された外部記憶媒体の空き容量を取得する取得手段を備え、前記選択手段は、前記取得手段の取得結果に応じて選択を行うようにしてあることを特徴とする。
【００３４】
本発明においては、装着された外部記憶媒体の空き容量を調べ、例えば空き容量の大きい順に、ユーザから受け付けた記憶数の外部記憶媒体を選択する。これにより、ユーザが容量の大きい画像データを記憶させる場合に、確実に画像データを記憶することができる外部記憶媒体を自動的に選択することができる。
【００３５】
また、第９発明に係る画像処理装置は、前記装着部に装着された外部記憶媒体のアクセス速度を取得する取得手段を備え、前記選択手段は、前記取得手段の取得結果に応じて選択を行うようにしてあることを特徴とする。
【００３６】
本発明においては、装着された外部記憶媒体のアクセス速度を調べ、例えばアクセス速度の速い順に、ユーザから受け付けた記憶数の外部記憶媒体を選択する。これにより、ユーザが容量の大きい画像データを記憶させる場合に、画像データの記憶をより早く完了することができる外部記憶媒体を自動的に選択することができる。
【００３７】
また、第１０発明に係る画像処理装置は、外部記憶媒体の着脱が可能な装着部と、原稿を読み取って画像データを取得する原稿読取手段と、該原稿読取手段が取得した画像データを前記装着部に装着された外部記憶媒体に記憶させる記憶制御手段とを備える画像処理装置において、前記記憶制御手段は、前記原稿読取手段が読み取った一の原稿に係る画像データを、前記装着部に順次的に装着された複数の外部記憶媒体にそれぞれ記憶させるようにしてあることを特徴とする。
【００３８】
本発明においては、画像データを複数の外部記憶媒体へ記憶させる場合に、外部記憶媒体を順次的に画像処理装置に装着するようにし、順次的に装着される外部記憶媒体へ読み取った画像データを順次記憶させる。これにより、装着可能な外部記憶媒体の数が少ない機器であっても、一度の原稿読み取りで、装着数以上の外部記憶媒体へ画像データを記憶させることが可能となる。
【００３９】
また、第１１発明に係る画像処理装置は、前記原稿読取手段が読み取った一の原稿に係る画像データの記憶数を受け付ける受付手段と、前記記憶制御手段による外部記憶媒体への画像データの記憶が終了した場合に、外部記憶媒体の交換を促すメッセージを出力する出力手段と、前記装着部への外部記憶媒体の装着を検出する検出手段とを備え、前記受付手段が受け付けた記憶数に応じて、前記検出手段による検出と、前記記憶制御手段による画像データの記憶と、前記出力手段によるメッセージの出力とを繰り返して行うようにしてあることを特徴とする。
【００４０】
本発明においては、読み取った原稿の画像データをいくつの外部記憶媒体に記憶させるかを記憶数として受け付ける。装着を検出した外部記憶媒体へ画像データを記憶させ、記憶の完了後に外部記憶媒体の交換を促すメッセージを出力し、これに応じてユーザが行う交換による画像処理装置への外部記憶媒体の装着を検出する。記憶、メッセージ出力及び装着の検出を、受け付けた記憶数に応じて順次的に繰り返すことによって、ユーザは複数の外部記憶媒体への画像データの記憶を、外部記憶媒体を順次装着して簡単に行うことができ、外部記憶媒体の交換に伴って誤操作が発生することを防止できる。
【発明の効果】
【００４１】
第１発明による場合は、複数の外部記憶媒体を装着することを可能とし、装着された複数の外部記憶媒体のうちの一部又は全部の外部記憶媒体へ、一度の原稿読み取りによって得られた画像データを同時的に記憶させる構成とすることにより、原稿の読み取りを複数回行うことなく、且つ、一の外部記憶媒体に記憶されたデータをＰＣなどを用いてコピーすることなく、一度の原稿読み取りによって得られた画像データを複数の外部記憶媒体へ記憶させることができるため、画像処理装置の利便性を向上することができる。
【００４２】
また、第２発明による場合は、ユーザに装着された複数の外部記憶媒体からいくつかの外部記憶媒体を選択させ、ユーザの選択に応じた外部記憶媒体に画像データを記憶させる構成とすることにより、画像処理装置に複数の外部記憶媒体が装着されている場合であっても、ユーザが望むいくつかの外部記憶媒体にのみ画像データを記憶させることができるため、画像データを記憶させる必要がない外部記憶媒体を画像処理装置から外す必要がなく、画像処理装置の利便性をより向上することができる。
【００４３】
また、第３発明による場合は、装着された複数の外部記憶媒体の名称又は番号等を一覧表示などにより選択肢として表示し、受け付けたユーザの選択に応じて複数の外部記憶媒体に画像データを記憶させる構成とすることにより、表示された選択肢からユーザは画像データを記憶させる外部記憶媒体を簡単に選択することができるため、画像処理装置の操作性を向上できる。
【００４４】
また、第４発明による場合は、装着された外部記憶媒体の空き容量を調べ、空き容量に応じた順序で外部記憶媒体を選択肢として表示する構成とすることにより、ユーザは容量の大きい画像データを記憶させる場合などに、外部記憶媒体の選択を容易に行うことができ、確実に画像データを記憶することができる。よって、画像処理装置の利便性をより向上することができる。
【００４５】
また、第５発明による場合は、装着された外部記憶媒体のアクセス速度を調べ、アクセス速度に応じた順序で外部記憶媒体を選択肢として表示する構成とすることにより、ユーザは容量の大きい画像データを記憶させる場合などに、外部記憶媒体の選択を容易に行うことができ、画像データの記憶をより早く完了することができる。よって、画像処理装置の利便性をより向上することができる。
【００４６】
また、第６発明による場合は、外部記憶媒体が装着されたことを検出した場合に、装着を検出した外部記憶媒体の空き容量又はアクセス速度等を調べる構成とすることにより、これらの情報を予め確実に取得することができ、外部記憶媒体の名称又は番号等を空き容量又はアクセス速度等の順に選択肢として一覧表示する場合などに、空き容量又はアクセス速度等を調べる必要がないため、表示をより高速に行うことができる。よって、画像処理装置の利便性をより向上することができる。
【００４７】
また、第７発明による場合は、読み取った原稿の画像データをいくつの外部記憶媒体に記憶させるかを記憶数として受け付け、受け付けた記憶数の外部記憶媒体を自動的に選択し、選択した外部記憶媒体に画像データを記憶させる構成とすることにより、画像データを自動的にユーザが望む数の外部記憶媒体へ記憶させることができ、ユーザによる外部記憶媒体の選択の手間を省略することができるため、画像処理装置の操作性をより向上することができる。
【００４８】
また、第８発明による場合は、装着された外部記憶媒体の空き容量を調べ、空き容量に応じてユーザから受け付けた記憶数の外部記憶媒体を選択する構成とすることにより、例えばユーザが容量の大きい画像データを記憶させる場合に、確実に画像データを記憶できる外部記憶媒体を自動的に選択することができるため、外部記憶媒体の使用状況に適した選択を行って画像データを記憶させることができ、画像処理装置の利便性をより向上することができる。
【００４９】
また、第９発明による場合は、装着された外部記憶媒体のアクセス速度を調べ、アクセス速度に応じてユーザから受け付けた記憶数の外部記憶媒体を選択する構成とすることにより、例えばユーザが容量の大きい画像データを記憶させる場合に、画像データの記憶をより早く完了することができる外部記憶媒体を自動的に選択することができるため、外部記憶媒体の特性に適した選択を行って画像データを記憶させることができ、画像処理装置の利便性をより向上することができる。
【００５０】
また、第１０発明による場合は、画像データを複数の外部記憶媒体へ記憶させる場合に、外部記憶媒体を順次的に画像処理装置に装着するようにし、順次的に装着される外部記憶媒体へ読み取った画像データを順次記憶させる構成とすることにより、装着可能な外部記憶媒体の数が少ない機器であっても、一度の原稿読み取りによって得られた画像データを複数の外部記憶媒体へ順次記憶させることができるため、画像処理装置の利便性を向上することができる。
【００５１】
また、第１１発明による場合は、読み取った原稿の画像データをいくつの外部記憶媒体に記憶させるかを記憶数として受け付け、装着を検出した外部記憶媒体への画像データの記憶と、外部記憶媒体の交換を促すメッセージの出力とを、受け付けた記憶数に応じて繰り返し行う構成とすることにより、ユーザは外部記憶媒体を順次装着して画像データの記憶を簡単に行うことができ、外部記憶媒体の交換に伴って誤操作が発生することを防止できるため、画像処理装置の操作性を向上することができる。
【発明を実施するための最良の形態】
【００５２】
（実施の形態１）
以下、本発明をその実施の形態を示す図面に基づき具体的に説明する。なお、本実施の形態においては、画像処理装置としてＭＦＰを例に説明を行う。図１は、本発明に係るＭＦＰを含むネットワークの構成例を示す模式図である。図において１は、ＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話回線網）を介してデータの送受信を行うファクシミリ機能、原稿の複写を行うコピー機能、ＬＡＮ（Ｌｏｃａｌ  Ａｒｅａ  Ｎｅｔｗｏｒｋ）を介して与えられた画像データを印刷用紙などの記録媒体に記録するプリンタ機能、及び原稿を読み取って画像データを取得するスキャナ機能等の複数の機能を備えるＭＦＰである。ＭＦＰ１は、ＬＡＮを介して複数のＰＣ（パーソナルコンピュータ）２、２…と接続されており、ＰＣ２、２…からのデータを受信してプリンタ機能により記録媒体に記録することができ、スキャナ機能によって読み取った原稿の画像データをＰＣ２、２…へ送信することができるようにしてある。また、ＭＦＰ１は、ＰＳＴＮを介して外部のＭＦＰ３及びファクシミリ装置４等と接続されており、これらの装置との間で音声信号による画像データの送受信を行うことができるようにしてある。
【００５３】
図２は、本発明の実施の形態１に係るＭＦＰ１の構成を示すブロック図である。ＭＦＰ１は、ＣＰＵ又はＭＰＵ等で構成してある制御部１０を備えている。制御部１０は、バス１０ａを介して、ＲＯＭ１１、ＲＡＭ１２、ＮＣＵ（Ｎｅｔｗｏｒｋ  Ｃｏｎｔｒｏｌ  Ｕｎｉｔ）１３、モデム１４、原稿読取部１５、画像メモリ１６、画像形成部１７、操作部１８、操作パネル１９、ＬＡＮに接続するためのＬＡＮインタフェース２０、及びＨＤＤ（ハードディスクドライブ ）２１等に接続されている。
【００５４】
また、ＭＦＰ１には、外部記憶媒体であるＵＳＢメモリ５及びＳＤ（Ｓｅｃｕｒｅ  Ｄｉｇｉｔａｌ）メモリカード６をそれぞれ２つずつ装着することができるようにしてある。ＵＳＢメモリ５はＭＦＰ１に備えられた装着ポート２２ａに装着するようにしてあり、制御部１０及びその他のＭＦＰ１の各部は、バス１０ａに接続されたＵＳＢインタフェース２２を介して、装着ポート２２ａに装着されたＵＳＢメモリ５との間でデータの送受信を行うことができるようにしてある。同様に、ＳＤメモリカード６はＭＦＰ１に備えられた装着ポート２３ａに装着するようにしてあり、制御部１０及びその他のＭＦＰ１の各部は、バス１０ａに接続されたＳＤメモリカードインタフェース２３を介して、装着ポート２３ａに装着されたＳＤメモリカード６との間でデータの送受信を行うことができるようにしてある。
【００５５】
制御部１０は、ＲＯＭ１１に予め記憶されたプログラムを読み出して実行することにより、ＭＦＰ１内のハードウェア各部の動作を制御すると共に、種々のソフトウェア的機能を実現する。ＲＯＭ１１は、ＭＦＰ１の動作に必要な種々のソフトウェアの制御プログラムを予め記憶しており、マスクＲＯＭ、ＥＥＰＲＯＭ又はフラッシュメモリ等の不揮発性メモリ素子により構成してある。ＲＡＭ１２は、制御部１０が各部の制御処理又は演算処理等を行う際に発生する一時的なデータを記憶するものであり、ＳＲＡＭ、ＤＲＡＭ又はフラッシュメモリ等の書き換え可能なメモリ素子により構成してある。
【００５６】
ＮＣＵ１３は、ＰＳＴＮとの回線の閉結及び開放の動作を行うハードウェアであり、ＰＳＴＮとモデム１４とのインタフェース回路を有している。モデム１４は、ＰＳＴＮを介して他のＭＦＰ３又はファクシミリ装置４等とファクシミリ通信を行うためのハードウェアであり、ファクシミリ通信によりデータの送信を行う場合には、原稿を読み取って得られた画像データをアナログの音声信号に変換して送信し、データの受信を行う場合には、ＰＳＴＮを介して受信したアナログの音声信号をデジタルの画像データに変換するようにしてある。
【００５７】
ＭＦＰ１は、コピー機能、ファクシミリ機能及びスキャナ機能等を利用する際に原稿の読み取りを行う原稿読取部１５と、コピー機能、ファクシミリ機能及びプリンタ機能等を利用する際に記録媒体へ画像を形成する画像形成部１７とを備えている。原稿読取部１５は、例えばＣＣＤ（Ｃｈａｒｇｅ  Ｃｏｕｐｌｅｄ  Ｄｅｖｉｃｅ）を利用した光学系で原稿を読み取り、原稿を読み取ることにより取得した画像データを画像メモリ１６に記憶させるようにしてある。また、図示は省略するが、原稿読取部１５はＡＤＦ（Ａｕｔｏ  Ｄｏｃｕｍｅｎｔ  Ｆｅｅｄｅｒ、原稿自動送り装置）を有しており、複数頁の原稿を自動的に読み取ることができるようにしてある。
【００５８】
画像メモリ１６は、モデム１４及びＮＣＵ１３を介したファクシミリ通信により受信した画像データ、及び原稿読取部１５により読み取った画像データを一時的に記憶するようにしてあり、ＤＲＡＭ又はフラッシュメモリ等の大容量のメモリ素子で構成してある。画像形成部１７は、例えば電子写真方式のプリンタ装置であって、画像メモリ１６から画像データを読み出して、画像データに基づく画像を、Ａ３縦、Ｂ４縦、Ａ４縦、Ｂ５横及びＡ５横等の各サイズの記録用紙などの記録媒体から最適なサイズのものを選択し、ハードコピーとして記録するようにしてある。
【００５９】
操作パネル１９は、液晶ディスプレイなどによる表示部と、この表示部への接触を検知するタッチセンサとを有する所謂タッチパネルの構成をなしている。操作パネル１９の表示部には、ＭＦＰ１の動作状態、ＭＦＰ１の動作をユーザが選択するための選択メニュー、動作に係る設定値をユーザが設定するための設定メニュー、及びユーザに通知するための情報等を表示するようにしてある。操作パネル１９の表示部に選択メニュー又は設定メニュー等が表示されている場合、ユーザが表示部に触れることでタッチセンサがこれを検知し、メニューの選択又は動作の設定等を行うことができるようにしてある。操作パネル１９は、制御部１０からの指示により表示部に各種の表示を行うと共に、タッチセンサによる検知結果を制御部１０へ与えるようにしてある。操作部１８は、操作パネル１９により行う操作とは別の内容の操作を行うための複数のキー、ボタン又はスイッチ等で構成されており、例えば、原稿の読取の開始を指示するスタートキー、各種の処理の中断を指示するストップキー、数値を入力するテンキー、短縮ダイヤルキー及び各種のファンクションキー等を備えている。
【００６０】
ＬＡＮインタフェース２０は、所謂ＬＡＮケーブルを接続するためのコネクタを有しており、コネクタに接続されたＬＡＮケーブルを介して社内ＬＡＮ又は家庭内ＬＡＮ等のＬＡＮに接続し、ＰＣ２、２…との間でデータの送受信を行うものである。また、ＭＦＰ１は、記憶容量の大きいＨＤＤ２１を備えており、ファクシミリ通信により外部から受信した画像データ、原稿読取部１５により原稿から読み取った画像データ、及びＬＡＮを介してＰＣ２、２…から受信した画像データを適宜ＨＤＤ２１に記憶させて各種の処理を並行して行うことができるようにしてある。
【００６１】
ＭＦＰ１に２つ備えられたＵＳＢインタフェース２２は、装着ポート２２ａに装着されたＵＳＢメモリ５と、バス１０ａを介して接続されたＭＦＰ１の各部との間でデータの送受信を可能とするためのハードウェアである。具体的には、バス１０ａを介したデータの送受信はパラレル通信で行われており、ＵＳＢメモリ５はシリアル通信によりデータの送受信を行う外部記憶媒体であるため、ＵＳＢインタフェース２２にてパラレル−シリアル変換、及びシリアル−パラレル変換を行うようにしてある。また、装着ポート２２ａにＵＳＢメモリ５が装着されたことを検出して、制御部１０へ通知する機能を有している。ＭＦＰ１に２つ備えられたＳＤメモリカードインタフェース２３も同様に、シリアル通信によりデータの送受信を行うＳＤメモリカード６との間でデータの送受信を可能とするために、パラレル−シリアル変換、及びシリアル−パラレル変換を行うようにしてある。また、装着ポート２３ａにＳＤメモリカード６が装着されたことを検出して、制御部１０へ通知する機能を有している。
【００６２】
ＭＦＰ１のコピー機能は、原稿読取部１５にて原稿を読み取って画像データを取得し、取得した画像データに基づく画像を画像形成部１７にて記録媒体に形成することで実現される。ファクシミリ機能は、原稿読取部１５にて原稿を読み取って得られた画像データをモデム１４へ与え、モデム１４及びＮＣＵ１３によりＰＳＴＮを介して外部のＭＦＰ３又はファクシミリ装置４等へ画像データを送信し、また、外部のＭＦＰ３又はファクシミリ装置４から受信した画像データをモデム１４から画像形成部１７へ与え、画像形成部１７にて記録媒体に画像を形成することで実現される。プリンタ機能は、ＰＣ２、２…からＬＡＮを介して受信した画像データを、ＬＡＮインタフェース２０から画像形成部１７へ与え、画像形成部１７にて記録媒体に画像を形成することで実現される。なお、これらの処理を行う際に、画像データを一時的に蓄積するバッファとして画像メモリ１６を使用するようにしてある。
【００６３】
ＭＦＰ１のスキャナ機能は、原稿読取部１５にて原稿を読み取って画像データを取得し、取得した画像データをＬＡＮインタフェース２０からＬＡＮを介してＰＣ２、２…へ送信することで実現される。また、本発明に係るＭＦＰ１は、原稿読取部１５にて原稿を読み取って取得した画像データを、外部記憶媒体であるＵＳＢメモリ５及びＳＤメモリカード６へ記憶させることで、ＬＡＮを介さずにスキャナ機能を利用することを可能としている。特に、ＭＦＰ１は２つのＵＳＢメモリ５及び２つのＳＤメモリカード６を装着することが可能であり、一度の原稿の読み取りにより取得した画像データを複数の外部記憶媒体に同時的に記憶させることができる。
【００６４】
図３乃至図５は、本発明の実施の形態１に係るＭＦＰ１の操作パネル１９に表示される表示画面の構成例を示す模式図であり、図３（ａ）は、ＭＦＰ１のスキャナ機能を利用する際の待機画面の例を示している。ＭＦＰ１は、原稿を読み取る際の設定条件として、画質、濃度、解像度及び読取サイズをユーザが設定することができるようにしてある。よって、待機画面には、画質の設定を行うための画質キー５１と、濃度の設定を行うための濃度キー５２と、解像度の設定を行うための解像度キー５３と、読取サイズの設定を行うための読取サイズキー５４とが表示してあり、表示されたキーにユーザが触れることによって設定条件の変更を行うことができるようにしてある。
【００６５】
また、スキャナ機能を利用する際の待機画面には、原稿を読み取って取得した画像データを記憶する場合のファイル名を設定するためのファイル名キー５５が表示してある。ＭＦＰ１は、ユーザによりファイル名キー５５が操作された場合、操作パネル１９にソフトキーボードを表示し、任意のファイル名の入力を受け付けるようにしてある。なお、ファイル名が入力されない場合は、制御部１０が、例えば日時情報に基づいてファイル名を決定するようにしてある。
【００６６】
また、スキャナ機能を利用する際の待機画面には参照キー５６が表示してあり、ユーザによって参照キー５６が操作された場合、ＭＦＰ１は、装着ポート２２ａ及び２３ａに装着された外部記憶媒体の選択、並びに外部記憶媒体の画像データ記憶先となるフォルダの選択等を行うためのフォルダ指定画面（図３（ｂ）参照）を表示するようにしてある。このフォルダ指定画面には、外部記憶媒体の選択及びフォルダの選択を確定させる確定キー６１と、選択をキャンセルするキャンセルキー６２と、ポート番号及び外部記憶媒体の名称等の識別情報が記載された媒体選択キー６３と、媒体選択キー６３に並べられた参照キー６４と、フォルダ指定画面の表示方法を切り替えるための表示切替キー６５とが表示してある。なお、媒体選択キー６３及び参照キー６４は、ＭＦＰ１に装着された外部記憶媒体の数に応じて表示数が増減するようにしてあり、図３（ｂ）に示す例では２つのＵＳＢメモリ５と２つのＳＤメモリカード６とが装着されている場合を図示してある。
【００６７】
また、ＭＦＰ１は、外部記憶媒体が装着された場合に、装着された外部記憶媒体の空き容量を取得してＲＡＭ１２に記憶するようにしてあり、フォルダ指定画面の媒体選択キー６３には、外部記憶媒体の識別情報と共に、取得した空き容量を表示するようにしてある。また、複数の外部記憶媒体が装着されている場合には、各外部記憶媒体の空き容量が大きい順に上から下へ、各外部記憶媒体を選択する媒体選択キー６３を並べて表示するようにしてある。
【００６８】
更に、ＭＦＰ１は、外部記憶媒体が装着された場合に、装着された外部記憶媒体のアクセス速度を取得してＲＡＭ１２に記憶するようにしてある。アクセス速度の取得は、例えば、ダミーのデータを外部記憶媒体に記憶させ、このときの所要時間を計測することで取得することが可能である。フォルダ指定画面の表示切替キー６５がユーザにより操作された場合、媒体選択キー６３には、外部記憶媒体の識別情報と共に、取得したアクセス速度を空き容量に代えて表示するようにしてある。また、複数の外部記憶媒体が装着されている場合には、各外部記憶媒体のアクセス速度の速い順に上から下へ媒体選択キー６３を並べ替えて表示するようにしてある（図４（ｃ）参照）。なお、空き容量の表示とアクセス速度の表示とは、表示切替キー６５を操作する毎に切り替わるようにしてある。
【００６９】
なお、このとき取得した空き容量及びアクセス速度等の情報は、ＲＡＭ１２に外部記憶媒体の管理リストとして記憶するようにしてある。図６は、外部記憶媒体の管理リストの構成を示す模式図である。管理リストには、外部記憶媒体が装着される装着ポート２２ａ及び２３ａに付されたポート番号と、装着されている外部記憶媒体の名称と、取得した空き容量及びアクセス速度とが対応付けて記憶してある。これらの情報は、外部記憶媒体が装着された場合にＭＦＰ１が自動的に取得して管理リストに登録し、外部記憶媒体が外された場合に自動的に管理リストから削除するようにしてある。
【００７０】
ユーザが外部記憶媒体の選択を行う場合には、いずれかの媒体選択キー６３に触れることで選択を行うことができるようにしてある。ユーザが媒体選択キー６３に触れた場合、媒体選択キーに表示された識別情報と空き容量又はアクセス速度とが白黒反転表示されて選択状態となる（図４（ｄ）参照）。図４（ｄ）は、名称が”ＵＳＢメモリα”及び”ＵＳＢメモリβ”の２つのＵＳＢメモリ５を選択した状態を図示してある。外部記憶媒体は複数個（１〜４個）を選択することができ、選択した複数の外部記憶媒体の全てに画像データを記憶させることができるようにしてある。また、媒体選択キー６３に並べて表示された参照キー６４をユーザが操作した場合には、ＭＦＰ１は対応する外部記憶媒体のフォルダ構成をツリー状に表示し（図示は省略する）、画像データを記憶させるフォルダを選択することができるようにしてある。
【００７１】
画像データを記憶させる外部記憶媒体及びフォルダを選択し、原稿読取部１５に原稿をセットした後、ユーザは操作部１８に設けられたスタートキーを操作することにより、原稿の読取処理を開始させ、原稿を読み取って取得した画像データを選択した全ての外部記憶媒体の選択したフォルダに記憶させることができる。
【００７２】
また、ＭＦＰ１においては、複数の外部記憶媒体が装着されている場合に、ユーザがいずれの外部記憶媒体に画像データを記憶させるかを特定することなく、原稿を読み取って取得した画像データを記憶させる外部記憶媒体の数を指定するのみで、指定した数の外部記憶媒体をＭＦＰ１に自動的に選択させ、指定した数の外部記憶媒体に自動的に画像データを記憶させることができるようにしてある。図３（ａ）に示す待機画面には数指定キー５７が表示してあり、ユーザは数指定キー５７を操作することによってこの処理をＭＦＰ１に行わせることができる。
【００７３】
数指定キー５７が操作された場合、ＭＦＰ１は操作パネル１９に数指定ウインドウ７０を表示するようにしてある（図５（ｅ）参照）。数指定ウインドウ７０には、外部記憶媒体の装着数に応じて数選択キー７１を並べて表示し、ユーザがいずれかの数選択キー７１を操作することで、画像データを記憶させる外部記憶媒体の数を指定することができるようにしてある。また、数指定ウインドウ７０には、ＭＦＰ１が複数の外部記憶媒体から指定された数の外部記憶媒体を自動的に選択する際の条件を設定するための条件設定キー７２を２つ表示し、ユーザが”空き容量優先”又は”アクセス速度優先”のいずれかの条件を設定することができるようにしてある。ＭＦＰ１は、数指定ウインドウ７０に表示した確定キー７３がユーザにより操作された場合には、選択された数及び条件設定を確定し、キャンセルキー７４が操作された場合には、選択された数及び条件設定を破棄して、数指定ウインドウ７０を非表示にするようにしてある。外部記憶媒体の数及び選択の条件設定の確定後、ＭＦＰ１は図６に示す管理リストを参照し、自動的に画像データを記憶させる外部記憶媒体の選択を行うようにしてある。
【００７４】
数指定ウインドウ７０にて外部記憶媒体の数及び条件設定を確定した後、ユーザは操作部１８に設けられたスタートキーを操作することにより、原稿の読取を開始させ、原稿を読み取って取得した画像データをＭＦＰ１が自動的に選択した外部記憶媒体へ記憶させることができる。なお、図３（ａ）に示す待機画面の参照キー５６による外部記憶媒体の選択、及び数指定キー５７による外部記憶媒体の数の指定が共に行われずに、ユーザにより操作部１８に設けられたスタートキーが操作された場合には、ＭＦＰ１は原稿を読み取って取得した画像データを、装着された全ての外部記憶媒体に記憶させるようにしてある。
【００７５】
図７は、本発明に係るＭＦＰ１の制御部１０が外部記憶媒体の装着時に行う処理の手順を示すフローチャートである。制御部１０は、装着ポート２２ａ又は２３ａのいずれかにＵＳＢメモリ５又はＳＤメモリカード６の外部記憶媒体が装着されたか否かを調べ（ステップＳ１）、外部記憶媒体が装着されていない場合（Ｓ１：ＮＯ）、外部記憶媒体が装着されるまで待機する。装着ポート２２ａ又は２３ａに外部記憶媒体が装着された場合（Ｓ１：ＹＥＳ）、装着された外部記憶媒体の空き容量を取得し（ステップＳ２）、アクセス速度を取得する（ステップＳ３）。次いで、取得した空き容量及びアクセス速度をＲＡＭ１２内の管理リストに記憶し（ステップＳ４）、処理を終了する。
【００７６】
図８は、本発明の実施の形態１に係るＭＦＰ１の制御部１０が行う原稿の読取処理の手順を示すフローチャートであり、読み取って取得した画像データを外部記憶媒体に記憶させる場合の処理を示してある。まず、制御部１０は、操作部１８に設けられたスタートキーがユーザにより操作されたか否かを調べ（ステップＳ２１）、スタートキーが操作されていない場合（Ｓ２１：ＮＯ）、スタートキーが操作されるまで待機する。
【００７７】
スタートキーが操作された場合（Ｓ２１：ＹＥＳ）、図３及び図４に示す表示画面による外部記憶媒体の選択がユーザにより行われているか否かを調べる（ステップＳ２２）。外部記憶媒体の選択が行われている場合（Ｓ２２：ＹＥＳ）、ユーザにより選択された一又は複数の外部記憶媒体を画像データの記憶先に設定する（ステップＳ２３）。外部記憶媒体の選択が行われていない場合（Ｓ２２：ＮＯ）、更に、図５に示す表示画面による外部記憶媒体の数の指定がユーザにより行われているか否かを調べる（ステップＳ２４）。外部記憶媒体の数の指定が行われている場合（Ｓ２４：ＹＥＳ）、空き容量優先又はアクセス速度優先のいずれかの設定された条件にて、指定された数の外部記憶媒体の選択を行い（ステップＳ２５）、選択した指定数の外部記憶媒体を画像データの記憶先に設定する（ステップＳ２６）。外部記憶媒体の数の指定が行われていない場合（Ｓ２４：ＮＯ）、装着された全ての記憶媒体を画像データの記憶先に設定する（ステップＳ２７）。
【００７８】
ステップＳ２３、Ｓ２６又はＳ２７にて記憶先を設定した後、原稿読取部１５にて原稿を読み取って（ステップＳ２８）、取得した画像データを画像メモリ１６に蓄積し（ステップＳ２９）、全ての原稿の読み取りを終了したか否かを調べる（ステップＳ３０）。全ての原稿の読み取りを終了していない場合（Ｓ３０：ＮＯ）、ステップＳ２８へ戻り、原稿の読み取りを継続して行う。全ての原稿の読み取りを終了した場合（Ｓ３０：ＹＥＳ）、記憶先として設定した一又は複数の外部記憶媒体へ、画像メモリ１６に蓄積した画像データを記憶させ（ステップＳ３１）、処理を終了する。
【００７９】
以上の構成のＭＦＰ１においては、一度の原稿読取で複数の外部記憶媒体に画像データを記憶させることができるため、ユーザが原稿読取を複数回行う必要がなく、また、ユーザが他のＰＣなどを利用して画像データをコピーする必要がない。また、ＭＦＰ１に複数の外部記憶媒体が装着されている場合に、これらのうちのいくつかをユーザが指定し、指定された外部記憶媒体に画像データを記憶させることができるため、ユーザは所望の外部記憶媒体に確実に画像データを記憶させることができる。また、外部記憶媒体を空き容量順又はアクセス速度順に表示してユーザに選択させる構成とすることによって、ユーザは外部記憶媒体の選択を容易に行うことが可能となる。また、外部記憶媒体の数のみを指定してＭＦＰ１に自動的に外部記憶媒体を選択させることを可能とすることにより、ユーザが外部記憶媒体を選択する手間を省略することができる。また、外部記憶媒体の選択及び数の指定がユーザにより行われていない場合には、装着された全ての外部記憶媒体に画像データを記憶させる構成とすることにより、ユーザは外部記憶媒体を装着して操作部１８のスタートキーを操作するのみで簡単に原稿を読み取って画像データを外部記憶媒体に記憶させることができる。
【００８０】
なお、本実施の形態においては、ユーザに外部記憶媒体を選択させる表示画面において、外部記憶媒体を空き容量順又はアクセス速度順に表示する構成としたが、これに限るものではなく、例えば、最大容量順に表示する構成としてもよく、装着時刻順に表示する構成としてもよい。また、外部記憶媒体としてＵＳＢメモリ５及びＳＤメモリカード６をＭＦＰ１に装着する構成としたが、これに限るものではなく、メモリースティック又はＣＦメモリカード等の他の外部記憶媒体を装着する構成としてもよい。また、外部記憶媒体の選択及び数の指定が行われていない場合に、装着された全ての外部記憶媒体に画像データを記憶させる構成としたが、これに限るものではなく、例えば、最後に装着された一の外部記憶媒体にのみ画像データを記憶させる構成としてもよい。
【００８１】
（実施の形態２）
図９は、本発明の実施の形態２に係るＭＦＰ１０１の構成を示すブロック図である。実施の形態１に係るＭＦＰ１はＵＳＢメモリ５を装着する装着ポート２２ａ及びＳＤメモリカード６を装着する装着ポート２３ａをそれぞれ２つ備える構成としたが、実施の形態２に係るＭＦＰ１０１は、外部記憶媒体としてＵＳＢメモリ５を装着する装着ポート２２ａを１つのみ備える構成である。よって、原稿を読み取って取得した画像データを複数のＵＳＢメモリ５に記憶させる場合には、画像データの記憶の完了に合わせてＵＳＢメモリ５を装着ポート２２ａに交換しながら順次装着することで行うようにしてある。
【００８２】
図１０及び図１１は、本発明の実施の形態２に係るＭＦＰ１０１の操作パネル１９に表示される表示画面の構成例を示す模式図であり、図１０（ａ）は、ＭＦＰ１０１のスキャナ機能を利用する際の待機画面の例を示している。この待機画面には、画像データを記憶させる外部記憶媒体の数を指定するための数指定キー１５７が表示してあり、数指定キー１５７がユーザにより操作された場合、ＭＦＰ１０１は操作パネル１９に数指定ウインドウ１７０を表示するようにしてある（図１０（ｂ）参照）。
【００８３】
数指定ウインドウ１７０には、画像データを記憶させる外部記憶媒体の数を表示する媒体数表示ボックス１７１と、外部記憶媒体の数を増減させる増加キー１７２及び減少キー１７３と、媒体数表示ボックス１７１に表示された数を画像データを記憶させる外部記憶媒体の数として確定させる確定キー１７４と、外部記憶媒体の数の指定をキャンセルさせるキャンセルキー１７５とが表示してある。ユーザは、増加キー１７２及び減少キー１７３を操作することによって、画像データを記憶させる外部記憶媒体の数を変更することができ、また、操作部１８に設けられたテンキー（図示せず）を操作することによって直接に外部記憶媒体の数を入力することができるようにしてある。
【００８４】
画像データを記憶させる外部記憶媒体の数を指定した後、ユーザは操作部１８に設けられたスタートキーを操作することにより原稿の読み取りを開始させ、読み取って取得した画像データを装着ポート２２ａに装着した外部記憶媒体に記憶させることができる。ＭＦＰ１０１は、一の外部記憶媒体について画像データの記憶を終了した後、操作パネル１９に外部記憶媒体の交換を促すメッセージを表示する（図１１（ｃ）参照）。このメッセージはメッセージ表示ウインドウ１８０に表示するようにしてあり、これに応じてユーザが外部記憶媒体を交換した場合、ＭＦＰ１０１は外部記憶媒体の交換を自動的に検出し、交換された外部記憶媒体へ画像データを記憶させるようにしてある。また、メッセージ表示ウインドウ１８０には中断キー１８１が設けてあり、ユーザが中断キー１８１を操作した場合には、外部記憶媒体へ画像データを記憶させる処理を中断することができるようにしてある。
【００８５】
図１２は、本発明の実施の形態２に係るＭＦＰ１０１の制御部１０が行う原稿の読取処理の手順を示すフローチャートであり、読み取って取得した画像データを外部記憶媒体に記憶させる場合の処理を示してある。まず、制御部１０は、操作部１８に設けられたスタートキーがユーザにより操作されたか否かを調べ（ステップＳ５１）、スタートキーが操作されていない場合（Ｓ５１：ＮＯ）、スタートキーが操作されるまで待機する。
【００８６】
スタートキーが操作された場合（Ｓ５１：ＹＥＳ）、原稿読取部１５にて原稿を読み取って（ステップＳ５２）、取得した画像データを画像メモリ１６に蓄積し（ステップＳ５３）、全ての原稿の読み取りを終了したか否かを調べる（ステップＳ５４）。全ての原稿の読み取りを終了していない場合（Ｓ５４：ＮＯ）、ステップＳ５２へ戻り、原稿の読み取りを継続して行う。
【００８７】
全ての原稿の読み取りを終了した場合（Ｓ５４：ＹＥＳ）、画像メモリ１６に蓄積した画像データを装着ポート２２ａに装着された外部記憶媒体に記憶させ（ステップＳ５５）、図１０（ｂ）に示す数指定ウインドウ１７０にて指定された指定数の外部記憶媒体に画像データの記憶を終了したか否かを調べる（ステップＳ５６）。指定数の外部記憶媒体に画像データの記憶を終了していない場合（Ｓ５６：ＮＯ）、図１１（ｃ）に示すメッセージ表示ウインドウ１８０によりユーザへ外部記憶媒体の交換を促すメッセージを表示する（ステップＳ５７）。
【００８８】
メッセージを表示した後、メッセージ表示ウインドウ１８０に設けられた中断キー１８１がユーザにより操作されたか否かを調べ（ステップＳ５８）、中断キー１８１が操作されていない場合（Ｓ５８：ＮＯ）、更に、装着ポート２２ａに外部記憶媒体が装着されたか否かを調べる（ステップＳ５９）。装着ポート２２ａへの外部記憶媒体の装着を検出することによって、外部記憶媒体が交換されたか否かを調べることができ、外部記憶媒体が装着されていない場合には（Ｓ５９：ＮＯ）、ステップＳ５７へ戻り、継続してメッセージを表示し、中断キー１８１が操作されるか、又は外部記憶媒体が装着されるかするまで待機する。装着ポート２２ａに外部記憶媒体が装着された場合（Ｓ５９：ＹＥＳ）、ステップＳ５５へ戻り、装着された外部記憶媒体への画像データの記憶を繰り返し行う。その後、指定数の外部記憶媒体に画像データの記憶を終了した場合（Ｓ５６：ＹＥＳ）、又はメッセージ表示ウインドウ１８１の中断キー１８１が操作された場合（Ｓ５８：ＹＥＳ）、制御部１０は処理を終了する。
【００８９】
以上の構成の実施の形態２に係るＭＦＰ１０１においては、原稿を読み取って取得した画像データを外部記憶媒体へ記憶させた後、外部記憶媒体の交換を促すメッセージを表示し、これに応じて交換された別の外部記憶媒体へ画像データを記憶させる構成とすることにより、一度の原稿読取によって取得した画像データを、装着ポート２２ａの数より多い数の外部記憶媒体へ記憶させることができる。
【００９０】
なお、実施の形態２においてはＵＳＢメモリ５を装着する装着ポート２２ａを１つのみ備える構成としたが、これに限るものではなく、２つ以上の装着ポート２２ａを備える構成であってもよい。また、実施の形態１のＭＦＰ１と同様に、ＳＤメモリカード６を装着する装着ポート２３ａを更に備える構成であってもよい。
【００９１】
また、実施の形態２に係るＭＦＰ１０１のその他の構成は、実施の形態１に係るＭＦＰ１の構成と同様であるため、対応する箇所には同じ符号を付して詳細な説明を省略する。
【図面の簡単な説明】
【００９２】
【図１】本発明に係るＭＦＰを含むネットワークの構成例を示す模式図である。
【図２】本発明の実施の形態１に係るＭＦＰの構成を示すブロック図である。
【図３】本発明の実施の形態１に係るＭＦＰの操作パネルに表示される表示画面の構成例を示す模式図である。
【図４】本発明の実施の形態１に係るＭＦＰの操作パネルに表示される表示画面の構成例を示す模式図である。
【図５】本発明の実施の形態１に係るＭＦＰの操作パネルに表示される表示画面の構成例を示す模式図である。
【図６】外部記憶媒体の管理リストの構成を示す模式図である。
【図７】本発明に係るＭＦＰの制御部が外部記憶媒体の装着時に行う処理の手順を示すフローチャートである。
【図８】本発明の実施の形態１に係るＭＦＰの制御部が行う原稿の読取処理の手順を示すフローチャートである。
【図９】本発明の実施の形態２に係るＭＦＰの構成を示すブロック図である。
【図１０】本発明の実施の形態２に係るＭＦＰの操作パネルに表示される表示画面の構成例を示す模式図である。
【図１１】本発明の実施の形態２に係るＭＦＰの操作パネルに表示される表示画面の構成例を示す模式図である。
【図１２】本発明の実施の形態２に係るＭＦＰの制御部が行う原稿の読取処理の手順を示すフローチャートである。
【符号の説明】
【００９３】
１  ＭＦＰ（画像処理装置）
２  ＰＣ
３  ＭＦＰ
４  ファクシミリ装置
５  ＵＳＢメモリ（外部記憶媒体）
６  ＳＤメモリカード（外部記憶媒体）
１０  制御部（記憶制御手段、取得手段、選択手段）
１１  ＲＯＭ
１２  ＲＡＭ
１３  ＮＣＵ
１４  モデム
１５  原稿読取部（原稿読取手段）
１６  画像メモリ
１７  画像形成部
１８  操作部
１９  操作パネル（受付手段、表示手段、出力手段）
２０  ＬＡＮインタフェース
２１  ＨＤＤ
２２  ＵＳＢインタフェース（検出手段）
２２ａ  装着ポート（装着部）
２３  ＳＤメモリカードインタフェース（検出手段）
２３ａ  装着ポート（装着部）
【図１】
2008028556.tif 000003
【図２】
2008028556.tif 000004
【図３】
2008028556.tif 000005
【図４】
2008028556.tif 000006
【図５】
2008028556.tif 000007
【図６】
2008028556.tif 000008
【図７】
2008028556.tif 000009
【図８】
2008028556.tif 000010
【図９】
2008028556.tif 000011
【図１０】
2008028556.tif 000012
【図１１】
2008028556.tif 000013
【図１２】
2008028556.tif 000014